(57)【要約】【課題】  正面から見て開運招福を象徴する像本体よりも大きな縁起物を合体できるようにし、縁起性の相乗的効果の向上を図った置物を提供することを目的とする。【解決手段】  開運招福を象徴する招き猫を表出した像本体１を有し、像本体１の背面に、正面から見て像本体１の投影面よりも広い面を有する縁起物としての飾り熊手２を配置可能にし、像本体１が載置される載置台１０を設け、この載置台１０に飾り熊手２を保持する保持部２０を備えた。載置台１０を、接地される台部１１と、台部１１に立設され台部１１よりも小径の胴部１２と、胴部１２より大径に形成されるとともに胴部１２の上端に設られ像本体１が載置される座部１３とを備えて構成し、座部１３を上解放の椀状に形成した。載置台１０の表面に、吉兆を象徴する吉兆絵柄１４を表出し、及び／または、吉兆を象徴する吉兆物を１５付設した。【選択図】  図１
2014050512.tif 000002
【特許請求の範囲】
【請求項１】
開運招福を象徴する像本体を有した置物において、
上記像本体の背面に、正面から見て上記像本体の投影面よりも広い面を有する縁起物を配置可能にし、該縁起物を保持する保持部を備えたことを特徴とする置物。
【請求項２】
上記像本体が載置される載置台を設け、上記保持部を、上記像本体及び載置台の少なくともいずれか一方に設けたことを特徴とする請求項１記載の置物。
【請求項３】
上記載置台を、上記像本体が載置される座部を備えて構成し、該座部を上解放の椀状に形成したことを特徴とする請求項２記載の置物。
【請求項４】
上記載置台を、接地される台部と、該台部に立設され該台部よりも小径の胴部とを備えて構成し、上記座部を、上記胴部より大径に形成して該胴部の上端に設けたことを特徴とする請求項３記載の置物。
【請求項５】
上記載置台の表面に、吉兆を象徴する吉兆絵柄を表出し、及び／または、吉兆を象徴する吉兆物を付設したことを特徴とする請求項２乃至４何れかに記載の置物。
【請求項６】
上記吉兆絵柄，吉兆物は、吉兆を表す文字，しめ縄，福笹，大判，小判，宝石，パワーストーン，銭袋，打出の小槌，あわびのし，大福帳，米俵，鯛，鶴，亀，白蛇，獅子，龍，青龍，朱雀，白虎，玄武，松，竹，梅，福寿草，金，銀，琥珀，翡翠，黒曜石，水晶及びこれらの模造品の何れか１以上から選択されることを特徴とする請求項５記載の置物。
【請求項７】
上記像本体は、招き猫，福助，お福（おかめ），達磨，恵比寿，大黒のいずれかを表出していることを特徴とする請求項１乃至６何れかに記載の置物。
【請求項８】
上記縁起物は、棒状の柄部及び該柄部の上端側に設けられ扇状の飾り部を有した飾り熊手で構成されることを特徴とする請求項１乃至７何れかに記載の置物。
【請求項９】
上記保持部を、上記飾り熊手の柄部が挿入される挿入孔部と、該挿入孔部に挿入された柄部の下端を支承する支承部とを備えて構成し、該保持部を、その挿入孔部の軸線が垂直方向に沿うように形成したことを特徴とする請求項８記載の置物。
【発明の詳細な説明】
【技術分野】
【０００１】
本発明は、招き猫や福助など開運招福を象徴する像本体を有した置物に係り、特に、縁起物を重ねて露出できるようにした強力な縁起物にする置物に関する。
【背景技術】
【０００２】
従来から、開運招福を象徴する像としては、例えば、ラッキーゴッドと言われ、招き猫，福助，お福（おかめ、お多福ともいわれる），達磨，恵比寿，大黒等が知られている。例えば、招き猫の置物としては、実用新案登録第３１４６８１０号公報（特許文献１）に記載され、あるいは、実用新案登録第３０１８５６９号公報（特許文献２）に記載された技術が知られている。
この置物は、例えば、陶磁器，プラスチック，和紙の張り子等で構成され、猫が座して正面を向き、少なくとも前脚である右手あるいは左手の一方を手招きをするように顔の横に持ち上げて位置させた姿勢に形成される。招き猫の置物は、一般に、「福猫」として、右手（前脚）を挙げている猫は金運を招き、左手（前脚）を挙げている猫は人（客）を招くとされ、また、これに由来して、学業向上，交通安全，病除け，魔除け，厄除けや幸運の象徴とされ、家の中などに置かれて飾られる。
【０００３】
特に、前者（特許文献１）記載の置物においては、右手を持ち上げ、左手に団扇をもたせるように描かれており、左団扇は、裕福で余裕のある暮らしをしている様を表す意味もあり縁起が良いとされることから、招き猫の縁起性と左団扇の縁起性の相乗的効果のある縁起物としている。
【先行技術文献】
【特許文献】
【０００４】
【特許文献１】実用新案登録第３１４６８１０号公報
【特許文献２】実用新案登録第３０１８５６９号公報
【発明の概要】
【発明が解決しようとする課題】
【０００５】
ところで、上記前者の従来の招き猫の置物にあっては、左手に団扇をもたせて描き、招き猫の縁起性と左団扇の縁起性の相乗的効果のある縁起物としているが、団扇は猫に比較して小さいことから、目立たちにくいという問題があった。また、団扇は描かれていると、立体感がなく、強調性に劣るという問題もある。
【０００６】
本発明は上記の問題点に鑑みて為されたもので、正面から見て開運招福を象徴する像本体よりも大きな縁起物を合体できるようにし、縁起性の相乗的効果の向上を図った置物を提供することを目的とする。
【課題を解決するための手段】
【０００７】
このような目的を達成するための本発明の置物は、開運招福を象徴する像本体を有した置物において、上記像本体の背面に、正面から見て上記像本体の投影面よりも広い面を有する縁起物を配置可能にし、該縁起物を保持する保持部を備えた構成としている。
これにより、置物に他の縁起物の保持部を設けたので、開運招福を象徴する像本体に縁起物を合体させることができる。しかも、縁起物を保持部に保持すると、正面から見ると開運招福を象徴する像本体よりも大きな縁起物が背景に露出する。そのため、開運招福を象徴する像本体が浮立つとともに縁起物も立体感を持って強調されるので、より一層縁起性の相乗機能を向上させることができる。
【０００８】
そして、必要に応じ、上記像本体が載置される載置台を設け、上記保持部を、上記像本体及び載置台の少なくともいずれか一方に設けた構成としている。これにより、像本体が載置台に載せられるので、より一層引き立って強調される。また、保持部は像本体及び載置台の少なくともいずれか一方に設けたので、開運招福を象徴する像本体に縁起物を合体させることができる。しかも、縁起物を保持部に保持すると、正面から見ると開運招福を象徴する像本体よりも大きな縁起物が背景に露出する。そのため、開運招福を象徴する像本体が浮立つとともに縁起物も立体感を持って強調されるので、より一層縁起性の相乗機能を向上させることができる。
【０００９】
また、必要に応じ、上記載置台を、上記像本体が載置される座部を備えて構成し、該座部を上解放の椀状に形成した構成としている。これにより、像本体を椀状の座部に載置するので、像本体を保護し大切に取り扱う心証を与え、より一層、開運招福を象徴する像本体を浮立たせることができる。また、この椀状の座部に、例えば、祈願のための護符や宝くじ等のものを置くことができるが、下に落ちにくく保持することができるという作用，効果を奏する。
【００１０】
更に、必要に応じ、上記載置台を、接地される台部と、該台部に立設され該台部よりも小径の胴部とを備えて構成し、上記座部を、上記胴部より大径に形成して該胴部の上端に設けた構成としている。真ん中に位置する胴部が上下に比較して細く、また、台部が大きいので、安定感があり、より一層、開運招福を象徴する像本体を浮立たせることができるとともに縁起物も立体感を持って強調することができる。
【００１１】
更にまた、必要に応じ、上記載置台の表面に、吉兆を象徴する吉兆絵柄を表出し、及び／または、吉兆を象徴する吉兆物を付設した構成としている。これにより、載置台そのものを縁起物とすることができ、開運招福を象徴する像本体、縁起物及び載置台の三位一体となった縁起性の相乗効果を奏することができるようになる。
【００１２】
この場合、必要に応じ、上記吉兆絵柄，吉兆物は、吉兆を表す文字，しめ縄，福笹，大判，小判，宝石，パワーストーン，銭袋，打出の小槌，あわびのし，大福帳，米俵，鯛，鶴，亀，白蛇，獅子，龍，青龍，朱雀，白虎，玄武，松，竹，梅，福寿草，金，銀，琥珀，翡翠，黒曜石，水晶及びこれらの模造品の何れか１以上から選択されることが有効である。
【００１３】
また、必要に応じ、上記像本体は、招き猫，福助，お福（おかめ），達磨，恵比寿，大黒のいずれかを表出している構成としている。これらは、ラッキーゴッドと言われ、特に、招き猫は、一般に、「福猫」として、右手（前脚）を挙げている猫は金運を招き、左手（前脚）を挙げている猫は人（客）を招くとされ、また、これに由来して、学業向上，交通安全，病除け，魔除け，厄除けや幸運の象徴とされている。
更にまた、上記縁起物は、棒状の柄部及び該柄部の上端側に設けられ扇状の飾り部を有した飾り熊手で構成される。飾り部には種々の吉兆の飾り物が付される。飾り熊手は、厄を掃き清める神聖な道具(神具)という側面があり、福をかき集めるという招福の縁起物とされている。一般家庭には家内安全を、商売には商売繁盛を祈願でき、飾られる。そのため、飾り熊手の縁起性は極めて強力なので、これまた強力な縁起性を有する開運招福を象徴する像本体と相まって、一層縁起性の相乗機能を向上させることができる。
【００１４】
そして、必要に応じ、上記保持部を、上記飾り熊手の柄部が挿入される挿入孔部と、該挿入孔部に挿入された柄部の下端を支承する支承部とを備えて構成し、該保持部を、その挿入孔部の軸線が垂直方向に沿うように形成した構成としている。これにより、熊手を保持するときは、保持部の挿入孔部に飾り熊手の柄部を差し込むだけで良い。一般に、飾り熊手は、壁や鴨居に紐や金具を用いて吊るしたり固定したりするが、これでは、手間が掛かって取り付けが煩雑で、壁を傷める等の問題があるが、本発明によれば、保持部の挿入孔部に飾り熊手の柄部を差し込むだけで良いので、保持が極めて簡単であり、作業が容易になるとともに、飾り熊手を開運招福を象徴する像本体の背後に容易に位置させることができ、より一層、開運招福を象徴する像本体を浮立たせることができるとともに飾り熊手も立体感を持って強調することができる。
【発明の効果】
【００１５】
本発明によれば、置物に他の縁起物の保持部を設けたので、開運招福を象徴する像本体に縁起物を合体させることができる。しかも、縁起物を保持部に保持すると、正面から見ると開運招福を象徴する像本体よりも大きな縁起物が背景に露出する。そのため、開運招福を象徴する像本体が浮立つとともに縁起物も立体感を持って強調されるので、より一層縁起性の相乗機能を向上させることができる。
【図面の簡単な説明】
【００１６】
【図１】本発明の第一の実施の形態に係る置物を示す正面図である。
【図２】本発明の第一の実施の形態に係る置物を示し載置台に飾り熊手を保持した状態を示す正面図である。
【図３】本発明の第一の実施の形態に係る置物の載置台を示す側面図である。
【図４】本発明の第一の実施の形態に係る置物において載置台の変形例の３種（ａ）（ｂ）（ｃ）を示す正面図である。
【図５】本発明の第二の実施の形態に係る置物を示す正面図である。
【図６】本発明の第二の実施の形態に係る置物において保持部の変形例の２種（ａ）（ｂ）を示す側面図である。
【図７】本発明の第三の実施の形態に係る置物を示す正面図である。
【図８】本発明の第四の実施の形態に係る置物を示し（ａ）は正面図、（ｂ）は側面図である。
【発明を実施するための形態】
【００１７】
以下、添付図面に基づいて、本発明の実施の形態に係る置物について詳細に説明する。
図１乃至図３には、本発明の第一の実施の形態に係る置物Ｓを示している。この第一の実施の形態に係る置物Ｓは、開運招福を象徴する像本体１を備えている。実施の形態では、像本体１は、ラッキーゴッドと言われるもののうち、招き猫を表出している。また、この像本体１の背面に、正面から見て像本体１の投影面よりも広い面を有する縁起物としての飾り熊手２を配置可能にしている。
【００１８】
詳しくは、招き猫の像本体１は、例えば、陶磁器，プラスチック，和紙の張り子等で構成され、猫が座して正面を向き、少なくとも前脚である右手あるいは左手の一方を手招きをするように顔の横に持ち上げて位置させた姿勢に形成される。実施の形態では左手を上げ、右手には大判を把持している。招き猫は、一般に、「福猫」として、右手（前脚）を挙げている猫は金運を招き、左手（前脚）を挙げている猫は人（客）を招くとされ、また、これに由来して、学業向上，交通安全，病除け，魔除け，厄除けや幸運の象徴とされている。
【００１９】
縁起物としての飾り熊手２は、竹などからなる棒状の柄部３と、柄部３の上端側に設けられ扇状の飾り部４とを有している。飾り部４は、例えば放射状に延びる竹製の棒状の骨材群（図示せず）に、種々の吉兆の飾り物が付される。飾り物としては、福笹，大判，小判，銭袋，打出の小槌，あわびのし，大福帳，米俵，鯛等の模造品から選択され、種々設けられている。
【００２０】
そして、この置物Ｓは、像本体１が載置される載置台１０を備えている。この載置台１０は、略逆円錐台状に形成され接地される台部１１と、台部１１の中央に立設され台部１１よりも小径の円柱状の胴部１２と、胴部１２の上端に設けられ像本体１が載置される座部１３とを備えて構成されている。台部１１，胴部１２及び座部１３は、陶磁器，プラスチック、木等で一体に形成され、あるいは別々のものを連設して形成されている。また、座部１３は、胴部１２より大径に形成されており、この座部１３は、上解放の椀状に形成されている。実施の形態では、比較的深さの浅い椀状に形成され、像本体１の下端部が正面から見て僅かに隠れる。
【００２１】
載置台１０の表面には、吉兆を象徴する吉兆絵柄１４が表出されるとともに、吉兆を象徴する吉兆物１５が付設されている。吉兆絵柄，吉兆物は、吉兆を表す文字，しめ縄，福笹，大判，小判，宝石，パワーストーン，銭袋，打出の小槌，あわびのし，大福帳，米俵，鯛，鶴，亀，白蛇，獅子，龍，青龍，朱雀，白虎，玄武，松，竹，梅，福寿草，金，銀，琥珀，翡翠，黒曜石，水晶及びこれらの模造品の何れか１以上から選択され、種々設けられている。更に、載置台１０には、その構造、機能を高め、七宝や細工物などを取り入れることができ、芸術品の域まで到達させることができる。
【００２２】
また、置物Ｓは、飾り熊手２を保持する保持部２０を備えている。保持部２０は、像本体１及び載置台１０の少なくともいずれか一方に設けられている。詳しくは、保持部２０は、図２及び図３に示すように、載置台１０に付設されている。保持部２０は、有底の筒状部材であり、飾り熊手２の柄部３が挿入される挿入孔部２１と、挿入孔部２１に挿入された柄部３の下端を支承する支承部２２とを備えて構成されている。保持部２０は、その挿入孔部２１の軸線が垂直方向に沿うように、像本体１の後側であって、載置台１０の背面に取付部材２３を介して固定されている。特に、飾り熊手２の柄部３が正面から見て像本体１の中心軸に重なるように保持部２０を設けている。
【００２３】
従って、この置物Ｓを組み立てるときは、図２及び図３に示すように、保持部２０に飾り熊手２を保持する。この際は、保持部２０の挿入孔部２１に飾り熊手２の柄部３を差し込むだけで良い。一般に、飾り熊手２は、壁や鴨居に紐や金具を用いて吊るしたり固定したりするが、これでは、手間が掛かって取り付けが煩雑で、壁を傷める等の問題があるが、実施の形態では、保持部２０の挿入孔部２１に飾り熊手２の柄部３を差し込むだけで良いので、保持が極めて簡単であり、作業が容易になるとともに、飾り熊手２を招き猫の像本体１の背後に容易に位置させることができる。それから、図１に示すように、載置台１０の座部１３に招き猫の像本体１を載置する。
【００２４】
この置物Ｓによれば、保持部２０に飾り熊手２を保持したので、招き猫に縁起物を合体させることができる。しかも、飾り熊手２を保持部２０に保持すると、正面から見ると招き猫の像本体１よりも大きな飾り熊手２が背景に露出する。そのため、招き猫が浮立つとともに飾り熊手２も立体感を持って強調される。これにより、両者の持つ縁起性の相乗効果により強力な縁起物となる。即ち、上記のように、招き猫及び飾り熊手２の縁起性は極めて強力なので、これらが相まってより一層縁起性の相乗機能を向上させることができる。また、飾り熊手２の柄部３が正面から見て像本体１の中心軸に重なるように保持部２０を設けているので、飾り熊手２が像本体１に対して対称性を有して背面に位置することから安定感を奏することができる。
【００２５】
また、載置台１０の座部１３を上解放の椀状に形成したので、像本体１をこの椀状の座部１３に載置すると、像本体１を保護し大切に取り扱う心証を与え、より一層、招き猫を浮立たせることができる。載置台１０の座部１３に載置される招き猫はラッキーゴッドとしてその威光はますます高まる。また、この椀状の座部１３に、例えば、祈願のための護符や宝くじ等のものを置くことができるが、下に落ちにくく保持することができるという作用，効果を奏する。
【００２６】
特に、載置台１０は、真ん中に位置する胴部１２が上下に比較して細く、また、台部１１が大きいので、安定感があり、より一層、招き猫を浮立たせることができるとともに飾り熊手２も立体感を持って強調することができる。また、載置台１０には、吉兆を象徴する吉兆絵柄１４及び吉兆を象徴する吉兆物１５が設けられているので、載置台１０そのものが縁起物となる。そのため、招き猫の像本体１、縁起物としての飾り熊手２及び載置台１０が三位一体となって縁起性の相乗効果を発揮することができるようになる。
即ち、縁起物の代表格である、招き猫，飾り熊手２及び載置台１０の三者を組み合わせることにより、従来なかった新しい形態と機能を持つ、強力な縁起物を提供することができる。
【００２７】
図４には、載置台１０の変形例を示している。これは、露払い（図４（ａ））、太刀持ち（図４（ｃ））を従えての横綱（図４（ｂ）の土俵入りを模した、三つ揃えの載置台１０を示す。図４（ｂ）は横綱のもので、載置台１０の上方にしめ縄が巻かれ、紙垂れが下がり、化粧回しには招福文字が描かれている。載置台１０の後部には飾り熊手２の柄を保持する保持部２０が設けられている。
【００２８】
図５及び図６には、本発明の第二の実施の形態に係る置物Ｓを示している。これは、招き猫の像本体１の後側部に保持部２０を設けたものである。図６（ａ）は、有底筒状の保持部２０を像本体１に付設したものを示す。図６（ｂ）には、像本体１の後側部に直接筒状の保持部２０を設けたものを示す。この置物Ｓは、直接接地しても良く、また、上記のような載置台１０に載置しても良く適宜変更して良い。
【００２９】
図７には、本発明の第三の実施の形態に係る置物Ｓを示している。これは、縁起物を、吉兆を象徴する吉兆絵柄を表出し、及び／または、吉兆を象徴する吉兆物を付設した板状の光背３０で構成している。この光背３０には、電飾での飾りつけも行うことができる。保持部２０は、載置台１０の座部１３の外縁部で構成されており、光背３０の下端を接着剤などで止着して保持している。これによっても上記と同様の作用，効果を奏する。
【００３０】
図８には、本発明の第四の実施の形態に係る置物Ｓを示している。これは、載置台１０を、椀４０で構成し、縁起物を椀の蓋４１で構成している。保持部２０は、椀４０の開口縁部の一部と蓋４１の開口縁部の一部とを連設する連結金具４２で構成されている。載置台１０を構成する椀４０及び縁起物を構成する蓋４１には、夫々、吉兆を象徴する吉兆絵柄を表出し、及び／または、吉兆を象徴する吉兆物を付設している。これによっても上記と同様の作用，効果を奏する。
【００３１】
尚、載置台１０の構成は上述したものに限定されるものではなく、円錐形、台形、仏像の台座を模したものなど、様式としては、吉兆の品物を目一杯貼り付けた、豪華仕様のもの、七宝や細工物をあしらった、芸術性の高いもの、神棚のしめ飾りを付したもの等、種々考えられ、適宜変更して差し支えない。また、招き猫も、種々の表情のものがあって良い。また、飾り熊手２のデザインも種々のものがあって良い。更に、保持部２０も上述したものに限定されるものではなく、挿入孔部をリング状に形成し、支承部をカップ状に形成したもの、あるいは、飾り熊手２の柄部３を挾持するクリップタイプのものにする等、適宜変更して差し支えない。更にまた、各部材の大きさ等は上述したものに限定されないことは勿論である。
【００３２】
尚また、上記実施の形態では、開運招福を象徴する像本体として、招き猫を表出したもので説明したが、必ずしもこれに限定されるものではなく、像本体は、福助，お福（おかめ、お多福ともいわれる），達磨，恵比寿，大黒のいずれかを表出していても良く、何れも、開運招福の縁起の良い人物であることから、上記と同様の作用，効果を奏する。また、縁起物においても、上記の飾り熊手に限定されないことは勿論である。
【産業上の利用可能性】
【００３３】
本発明によって、置物Ｓを、例えば、招き猫と、飾り熊手と、そして飾り載置台とで構成した場合、これら三者は、それぞれ独立した縁起物として機能を発揮することは勿論のこと、三者が一体となってこれまでにない大きなパワーを持つ縁起物が誕生することになる。そして、この形態が世の中に認証された暁には、人々に幸福を与え、楽しませ、産業上においても多大の貢献をするものとおもわれる。
【符号の説明】
【００３４】
Ｓ  置物
１  像本体（招き猫）
２  飾り熊手（縁起物）
３  柄部
４  飾り部
１０  載置台
１１  台部
１２  胴部
１３  座部
１４  吉兆絵柄
１５  吉兆物
２０  保持部
２１  挿入孔部
２２  支承部
２３  取付部材
３０  光背（縁起物）
４０  椀（載置台）
４１  蓋（縁起物）
４２  連結金具
【図１】
2014050512.tif 000003
【図２】
2014050512.tif 000004
【図３】
2014050512.tif 000005
【図４】
2014050512.tif 000006
【図５】
2014050512.tif 000007
【図６】
2014050512.tif 000008
【図７】
2014050512.tif 000009
【図８】
2014050512.tif 000010